(57)【特許請求の範囲】
【請求項１】
電源回路と、該電源回路が光源に供給する電圧の上限値を設定する電圧設定部と、調光信号に応じた定電流を前記光源に供給する定電流回路とを備え、遠隔信号により前記光源の点灯及び消灯を制御する電源装置において、
前記電圧設定部は、
前記光源を前記調光信号で調光した状態で消灯させた消灯状態から点灯状態へ切り替わる時点で前記光源に供給する電圧の上限値である切替時上限値及び点灯状態の前記光源に供給する電圧の上限値である点灯時上限値を設定し、消灯信号としての遠隔信号により前記点灯時上限値から前記切替時上限値へ変更するように構成してあり、
前記切替時上限値は、前記点灯時上限値よりも小さいことを特徴とする電源装置。
【請求項２】
電圧が入力された場合に所定の閾値電圧を境にして前記電源回路の動作を停止させる動作停止部と、
点灯信号又は消灯信号としての遠隔信号を取得する取得部と
を備え、
前記電圧設定部は、
前記取得部で取得した遠隔信号に応じて、分圧比が異なる電圧を前記動作
停止部へ入力する電圧分圧部を備え、
該電圧分圧部は、
前記取得部で消灯信号を取得した場合、前記切替時上限値を分圧した前記閾値電圧を前記動作停止部へ入力し、
前記取得部で点灯信号を取得した場合、前記点灯時上限値を分圧した前記閾値電圧を前記動作停止部へ入力するようにしてあることを特徴とする請求項１に記載の電源装置。
【請求項３】
前記電圧分圧部は、
複数の抵抗素子を直列に接続した直列回路と、
該直列回路の一の抵抗素子に直列又は並列に接続され、前記取得部で取得した遠隔信号に応じて導通／非導通が切替わる切替抵抗と
を備えることを特徴とする請求項２に記載の電源装置。
【請求項４】
光源と、請求項１から請求項３までのいずれか１項に記載の電源装置とを備えることを特徴とする照明装置。
【請求項５】
前記光源は、
複数のＬＥＤを直列に接続してあり、
前記電圧設定部は、
前記切替時上限値を前記複数のＬＥＤの順方向電圧値の合計よりも小さく設定してあることを特徴とする請求項４に記載の照明装置。
【発明の詳細な説明】
【技術分野】
【０００１】
本発明は、光源に電力を供給する電源装置に関し、特に光源を調光する機能を備えた電源装置及び該電源装置を備えた照明装置に関する。
【背景技術】
【０００２】
近年、発光ダイオード（ＬＥＤ）の高輝度化に伴い、白熱電球や蛍光灯などの光源に代えて、低消費電力、長寿命等の特性を有するＬＥＤが光源として照明装置などに用いられるようになりつつある。このような照明装置では、ＬＥＤを調光するための調光回路を有する電源装置が内蔵されている。
【０００３】
例えば、交流電圧を整流回路で整流し、整流した直流電圧をＤＣ／ＤＣコンバータで所要の電圧に変換してＬＥＤに供給する電源装置がある。ＤＣ／ＤＣコンバータは、スイッチングトランス、トランジスタ、ダイオード、平滑コンデンサなどを備え、トランジスタをオン／オフさせることにより、スイッチングトランスで一旦高周波の交流電圧を生成し、生成した交流電圧をダイオードと平滑コンデンサとにより平滑して所要の直流電圧を出力してＬＥＤへ供給する。また、調光信号を取得し、取得した調光信号に応じてトランジスタのオフ期間の長短を制御してＬＥＤに流れる電流を制御する調光機能も備えている（例えば、特許文献１参照）。
【先行技術文献】
【特許文献】
【０００４】
【特許文献１】特開２０１０−６７８３１号公報
【発明の概要】
【発明が解決しようとする課題】
【０００５】
しかしながら、特許文献１の照明装置にあっては、調光機能によりＬＥＤの電流を少なくした状態で、リモコンなどの遠隔操作端末装置で照明装置をオフにした場合において、トランジスタがオフとなり、スイッチングトランスが無負荷状態となる。このとき、ＤＣ／ＤＣコンバータの定電流を出力しようとする動作により出力電圧が回路を構成する抵抗値で定められる電圧の上限値まで上昇する。この上限値まで上昇した電圧によって平滑コンデンサに電荷が充電される。この平滑コンデンサに充電された電荷によって、再度照明装置をオンにしたときには、調光機能が完全に作動する前に過渡的にＬＥＤに多くの電流が突入電流として流れる。すなわち、照明装置をオンにした直後、一瞬ＬＥＤが明るく点灯した後、オフする前に調光機能で設定されたレベルの明るさに戻る（暗くなる）という現象が現れる。このため、ユーザが、照明装置が故障したと勘違いするおそれ、照明装置を使用する上での違和感を覚えるおそれがあった。
【０００６】
本発明は斯かる事情に鑑みてなされたものであり、点灯直後に一瞬調光機能で設定した明るさよりも明るい状態で光源が点灯することを抑制することができる電源装置及び該電源装置を備える照明装置を提供することを目的とする。
【課題を解決するための手段】
【０００７】
本発明に係る電源装置は、電源回路と、該電源回路が光源に供給する電圧の上限値を設定する電圧設定部と、調光信号に応じた定電流を前記光源に供給する定電流回路とを備え、遠隔信号により前記光源の点灯及び消灯を制御する電源装置において、前記電圧設定部は、前記光源を前記調光信号で調光した状態で消灯させた消灯状態から点灯状態へ切り替わる時点で前記光源に供給する電圧の上限値である切替時上限値及び点灯状態の前記光源に供給する電圧の上限値である点灯時上限値を設定し、消灯信号としての遠隔信号により前記点灯時上限値から前記切替時上限値へ変更するように構成してあり、前記切替時上限値は、前記点灯時上限値よりも小さいことを特徴とする。
【０００８】
本発明にあっては、電圧設定部は、光源が消灯状態から点灯状態へ切り替わる時点の切替時上限値を、点灯状態である場合の点灯時上限値よりも小さく設定してある。調光信号により光源に供給する電流を少ない値にした状態で光源を消灯させた場合、光源に供給する電圧の上限値（切替時上限値）が点灯状態における上限値（点灯時上限値）よりも小さく設定されるので、光源を消灯状態から点灯状態にした直後は、光源に供給される電圧を切替時上限値以下の低い電圧に抑えることができる。すなわち、点灯直後に光源が一瞬調光レベルよりも明るく点灯することを抑制し、調光機能で設定した明るさよりも明るい状態で光源が点灯することを抑制することができる。
【０００９】
本発明に係る電源装置は、電圧が入力された場合に所定の閾値電圧を境にして前記電源回路の動作を停止させる動作停止部と、点灯信号又は消灯信号としての遠隔信号を取得する取得部とを備え、前記電圧設定部は、前記取得部で取得した遠隔信号に応じて、分圧比が異なる電圧を前記動作停止部へ入力する電圧分圧部を備え、該電圧分圧部は、前記取得部で消灯信号を取得した場合、前記切替時上限値を分圧した前記閾値電圧を前記動作停止部へ入力し、前記取得部で点灯信号を取得した場合、前記点灯時上限値を分圧した前記閾値電圧を前記動作停止部へ入力するようにしてあることを特徴とする。
【００１０】
本発明にあっては、電圧が入力された場合に所定の閾値電圧を境にして電源回路の動作を停止させる動作停止部と、光源を点灯及び消灯させるための点灯信号及び消灯信号を取得する取得部とを備えるとともに、電圧設定部は、取得部で取得した点灯信号又は消灯信号に応じて、分圧比が異なる電圧を動作停止部へ入力する電圧分圧部を備える。電圧分圧部は、取得部で消灯信号を取得した場合、切替時上限値を分圧した閾値電圧を動作停止部へ入力し、点灯信号を取得した場合、点灯時上限値を分圧した閾値電圧を動作停止部へ入力する。すなわち、光源を点灯している状態では、光源に供給される電圧が点灯時上限値に達した場合に、動作停止部へ入力される分圧電圧が閾値電圧になるので電源回路が停止する。また、電圧分圧部は、取得部で消灯信号を取得した場合、光源に供給する電圧が切替時上限値になったときに閾値電圧に等しい分圧電圧を動作停止部へ入力する。すなわち、光源を消灯状態から点灯状態にした直後では、光源に供給される電圧が切替時上限値に達した場合に、動作停止部へ入力される分圧電圧が閾値電圧になるので電源回路が停止する。これにより、光源の点灯直後では、光源に供給する電圧の上限値が点灯時の場合よりも小さい（低い）切替時上限値に設定されているので、点灯直後に光源に高い電圧が供給されることを防止することができる。
【００１１】
本発明に係る電源装置は、前記電圧分圧部は、複数の抵抗素子を直列に接続した直列回路と、該直列回路の一の抵抗素子に直列又は並列に接続され、前記取得部で取得した遠隔信号に応じて導通／非導通が切替わる切替抵抗とを備えることを特徴とする。
【００１２】
本発明にあっては、電圧分圧部は、複数の抵抗素子を直列に接続した直列回路と、該直列回路の一の抵抗素子に直列又は並列に接続され、取得部で取得した点灯信号及び消灯信号に応じて導通／非導通が切替わる切替抵抗とを備える。例えば、消灯信号又は点灯信号によって導通／非導通が切替わる切替抵抗を直列回路の一の抵抗素子に並列接続して設ける。そして、点灯信号を取得した場合に切替抵抗を非導通にすることにより、電圧分圧部で分圧する電圧を低くして、分圧電圧が閾値電圧に等しくなるときの光源へ供給する電圧（上限値）を高くする。また、消灯信号を取得した場合に切替抵抗を導通することにより、電圧分圧部で分圧する電圧を高くして、分圧電圧が閾値電圧に等しくなるときの光源へ供給する電圧（上限値）を低くする。また、消灯信号又は点灯信号によって導通／非導通が切替わる切替抵抗を直列回路の一の抵抗素子に直列接続して設ける。そして、点灯信号を取得した場合に切替抵抗を導通にすることにより、電圧分圧部で分圧する電圧を低くして、分圧電圧が閾値電圧に等しくなるときの光源へ供給する電圧（上限値）を高くする。また、消灯信号を取得した場合に切替抵抗を非導通（切替抵抗を短絡）することにより、電圧分圧部で分圧する電圧を高くして、分圧電圧が閾値電圧に等しくなるときの光源へ供給する電圧（上限値）を低くする。これにより、簡便な構成で、点灯時、及び消灯時（消灯時から点灯時への切替時点）の光源へ供給する電圧の上限値を変更することができる。
【００１３】
本発明に係る照明装置は、光源と、前述の発明のいずれか１つに係る電源装置とを備えることを特徴とする。
【００１４】
本発明にあっては、調光機能で設定した明るさよりも明るい状態で光源が点灯することを抑制することができる照明装置を実現することができる。
【００１５】
本発明に係る照明装置は、前記光源は、複数のＬＥＤを直列に接続してあり、前記電圧設定部は、前記切替時上限値を前記複数のＬＥＤの順方向電圧値の合計よりも小さく設定してあることを特徴とする。
【００１６】
本発明にあっては、電圧設定部は、切替時上限値を所定数のＬＥＤの順方向電圧値の合計よりも小さくしてある。所定数は、例えば、光源として用いられるＬＥＤモジュール内の直列に接続したＬＥＤの数である。これにより、光源としてＬＥＤの直列回路を用いた場合、ＬＥＤモジュールに供給される電圧はＬＥＤの順方向電圧の合計値より低く設定されるので、点灯直後にＬＥＤに電流が流れることはなく、調光機能で設定した明るさよりも明るい状態で光源が点灯することを確実に抑制することができる。
【発明の効果】
【００１７】
本発明によれば、点灯直後に一瞬調光機能で設定した明るさよりも明るい状態で光源が点灯することを抑制することができる。
【図面の簡単な説明】
【００１８】
【図１】本実施の形態の照明装置の外観図である。
【図２】本実施の形態の照明装置の要部分解斜視図である。
【図３】本実施の形態の電源部の構成の一例を示すブロック図である。
【図４】本実施の形態の電源部の構成の一例を示す回路図である。
【図５】比較例としての調光状態で消灯した後に再度点灯した場合のＬＥＤモジュールに流れる電流波形の一例を示すタイムチャートである。
【図６】本実施の形態の電源部による調光状態で消灯した後に再度点灯した場合のＬＥＤモジュールに流れる電流波形の一例を示すタイムチャートである。
【発明を実施するための形態】
【００１９】
以下、本発明をその実施の形態を示す図面に基づいて説明する。図１は本実施の形態の照明装置１００の外観図であり、図２は本実施の形態の照明装置１００の要部分解斜視図である。照明装置１００は、例えば、４０Ｗ、６０ＷなどのＬＥＤ電球である。なお、以下、ＬＥＤ電球を例に挙げて説明するが、照明装置１００は、ＬＥＤ電球に限定されるものではなく、他の形状又は構造の照明装置であってもよい。
【００２０】
図１に示すように、外観視において、照明装置１００は、外部のソケットに嵌めて商用電源に電気的に接続するための口金７、照明装置１００で発生する熱を放熱するため中空（筒状）のヒートシンク５、口金７とヒートシンク５とを連結するとともに両者を電気的に絶縁する円筒状の絶縁部材６、ヒートシンク５に後述する光源としてのＬＥＤモジュールを保持するための略円板状の樹脂リング２、略半球殻のカバー１などを備える。
【００２１】
図１、図２に示すように、口金７は、例えば、口金規格がＥ２６のソケットであり中空部を有する。口金７の周囲には、ねじ山を設けてある。なお、口金規格はＥ２６以外のものでもよく、例えば、Ｅ１７等の他の口金規格でもよい。
【００２２】
絶縁部材６は、円筒状であって、例えば、ポリブチレンテレフタレート（以下、ＰＢＴと称する）樹脂製であり、耐熱性、耐薬品性、電気特性（絶縁性）、寸法安定性、成形性、難燃性などに優れている。なお、材質は、ＰＢＴ樹脂に限定されるものではなく、ＡＢＳ樹脂等の電気絶縁性を有する樹脂であればよい。
【００２３】
絶縁部材６の口金側には、口金７に内設される円筒状の接続部６１を有する。接続部６１には、口金７の内周面にねじ山が形成された雌ねじにねじ込んで螺合する雄ねじのねじ山を接続部６１の外周に形成してある。これにより、口金７と絶縁部材６とは螺合させるだけで取り付けることができるので、ネジを用いる必要がなく組み立て作業を簡略化することができる。
【００２４】
絶縁部材６のヒートシンク側には、ヒートシンク５の開放部５２に内挿される内挿部６２を有する。内挿部６２には、ヒートシンク５の固定片に嵌合する嵌合部を有する。すなわち、固定片に嵌合部を嵌合させるだけで、ヒートシンク５と絶縁部材６とを取り付けることができるので、ネジを用いる必要がなく組み立て作業を簡略化することができる。
【００２５】
絶縁部材６は、内周面に電源装置としての電源部８を挟持する挟持部（不図示）を有する。電源部８は、絶縁部材６に挟持することにより、ヒートシンク５の内側に配置される。電源部８は、口金７を介して商用電源から交流電圧を配電するための電源線９１、及び所要の電力をＬＥＤモジュール３へ供給するための配線９２を接続してある。なお、電源装置としての電源部８の詳細は後述する。
【００２６】
ヒートシンク５は、例えば、アルミニウムなどの熱伝導性に優れた金属製であって中空の筒状をなす。ヒートシンク５は、例えば、プレス加工により作製しており、ヒートシンク５の肉厚を薄くして軽量化を図ることができる。ヒートシンク５は、一端側にＬＥＤモジュール３を装着する装着面５１を有し、他端側には絶縁部材６の内挿部６２をヒートシンク５の中空部に内挿する円形状の開放部５２を有する。なお、ヒートシンク５の作製の方法はプレス加工に限らず、ダイカスト加工であってもよい。
【００２７】
ＬＥＤモジュール３は、矩形状の基体３２と、基体３２上に搭載されたＬＥＤ３１を備える。ＬＥＤモジュール３は、例えば、セラミック基板の基体３２に複数のＬＥＤ３１（例えば、４個のＬＥＤ３１で構成される直列回路を１つ又は複数並列に接続した構成）を配置してある。また、ＬＥＤモジュール３は、複数のＬＥＤ３１を、蛍光体を含む樹脂で封止した所謂チップオンボード方式のＬＥＤモジュールである。なお、ＬＥＤ３１は、白色ＬＥＤでもよく、電球色ＬＥＤでもよく、あるいは白色ＬＥＤと電球色ＬＥＤとを混在させてもよい。白色ＬＥＤと電球色ＬＥＤを混在させた場合には、各ＬＥＤの点灯状態を制御することにより、発光色を白色と電球色との間で変化させることができる。
【００２８】
また、基体３２には、カバー１を透過して伝送される遠隔信号（例えば、リモコンなどの遠隔操作端末装置から送信される点灯信号、消灯信号、調光信号など）を受信する受信部（不図示）を設けてある。なお、受信部の取付位置は、適宜設定することができる。
【００２９】
装着面５１とＬＥＤモジュール３との間には、ＬＥＤモジュール３（基体３２）の寸法より大きい放熱シート４を配置してある。放熱シート４の材質は、例えば、シリコーンゲルとすることができる。放熱シート４を基体３２とヒートシンク５との間に密着させることにより、ＬＥＤモジュール３で発生した熱をヒートシンク５へ伝えることができ、ヒートシンク５で効率良く放熱することができる。
【００３０】
樹脂リング２は、円板状をなし、例えば、ポリカーボネート樹脂製である。樹脂リング２は、ヒートシンク５に係止することにより、樹脂リング２でＬＥＤモジュール３をヒートシンク５に保持して装着する。
【００３１】
カバー１は、例えば、乳白色のポリカーボネート樹脂製であって、樹脂リング２との当接面に嵌合部１１を有する。嵌合部１１を樹脂リング２に嵌合させるだけで、カバー１を樹脂リング２に取り付けることができるので、ネジを用いる必要がなく組み立て作業を簡略化することができる。
【００３２】
次に電源部８について説明する。図３は本実施の形態の電源部８の構成の一例を示すブロック図である。図３に示すように、電源部８は、電源回路８１、電圧分圧部８３を有する電圧設定部８２、動作停止部８４、定電流回路８５、制御部８６、取得部８７などを備える。
【００３３】
電源回路８１は、商用電源からの交流電圧を所要の直流電圧に変換し、ＬＥＤモジュール３へ供給する。
【００３４】
電圧設定部８２は、電源回路８１がＬＥＤモジュール３に供給する電圧Ｖｏｕｔの上限値を設定する。後述のように、上限値には、ＬＥＤモジュール３が点灯している状態での点灯時上限値と、ＬＥＤモジュール３が消灯している状態から点灯状態へ切り替わる時点での切替時上限値とがあり、切替時上限値を点灯時上限値よりも小さく（低く）設定してある。電圧設定部８２は、ＬＥＤモジュール３に供給する電圧Ｖｏｕｔを分圧した分圧電圧を動作停止部８４へ入力する電圧分圧部８３を備える。
【００３５】
取得部８７は、リモコンなどの遠隔操作端末装置（不図示）からＬＥＤモジュール３を点灯させるための点灯信号、及び消灯させるための消灯信号を取得し、取得した点灯信号及び消灯信号を制御部８６へ出力する。また、取得部８７は、ＬＥＤモジュール３を調光するための調光信号を取得し、取得した調光信号を制御部８６へ出力する。なお、電源部８は、調光信号に基づいてＬＥＤモジュール３の明るさを０〜１００％の範囲で調光することができる。
【００３６】
制御部８６は、取得部８７から点灯信号又は消灯信号が入力された場合、点灯信号又は消灯信号を電圧設定部８２（電圧分圧部８３）へ出力する。また、制御部８６は、取得部８７から調光信号が入力された場合、調光信号を定電流回路８５へ出力する。
【００３７】
動作停止部８４は、電圧設定部８２（電圧分圧部８３）から電圧が入力された場合に、所定の閾値電圧Ｖｔを境にして電源回路８１の動作を停止させる。例えば、動作停止部８４に閾値電圧Ｖｔ以上の電圧が入力された場合、動作停止部８４は、電源回路８１の動作を停止させるための停止信号を出力する。なお、動作停止部８４に閾値電圧Ｖｔ以下の電圧が入力された場合に、動作停止部８４が電源回路８１の動作を停止させるための停止信号を出力するようにしてもよい。
【００３８】
電圧分圧部８３は、取得部８７で点灯信号を取得した場合、ＬＥＤモジュール３に供給する電圧Ｖｏｕｔが点灯時上限値になったときに閾値電圧Ｖｔに等しい分圧電圧を動作停止部８４へ入力する。また、電圧分圧部８３は、取得部８７で消灯信号を取得した場合、ＬＥＤモジュール３に供給する電圧Ｖｏｕｔが切替時上限値になったときに閾値電圧Ｖｔに等しい分圧電圧を動作停止部８４へ入力する。
【００３９】
定電流回路８５は、制御部８６から入力された調光信号に応じた定電流をＬＥＤモジュール３に供給すべく電源回路８１の動作を制御する。
【００４０】
上述のように、電圧設定部８２は、ＬＥＤモジュール３が消灯状態である場合に、ＬＥＤモジュール３に供給する電圧Ｖｏｕｔの上限値である切替時上限値を設定し、点灯状態である場合の電圧Ｖｏｕｔの上限値である点灯時上限値を設定し、切替時上限値を点灯時上限値よりも小さく（低く）設定してある。調光信号によりＬＥＤモジュール３に供給する電流を少ない値にした状態でＬＥＤモジュール３を消灯させた場合、ＬＥＤモジュール３に供給する電圧Ｖｏｕｔの上限値（切替時上限値）が点灯状態における上限値（点灯時上限値）よりも低く設定されるので、ＬＥＤモジュール３を消灯状態から点灯状態にした直後は、ＬＥＤモジュール３に供給される電圧Ｖｏｕｔを切替時上限値以下の低い電圧に抑えることができる。すなわち、点灯直後にＬＥＤモジュール３が一瞬調光レベルよりも明るく点灯することを抑制し、調光機能で設定した明るさよりも明るい状態でＬＥＤモジュール３が点灯することを抑制することができる。
【００４１】
次に、電源部８の構成の具体例について説明する。図４は本実施の形態の電源部８の構成の一例を示す回路図である。図４に示すように、電源回路８１は、整流回路８１１、スイッチング回路８１２、スイッチングトランス８１３、ダイオード８１４、平滑コンデンサ８１５などを備える。スイッチング回路８１２は、トランジスタ又はＦＥＴなどのスイッチング素子で構成され、整流回路８１１で整流された電圧をオン／オフする。
【００４２】
整流された電圧は、スイッチングトランス８１３で一旦高周波の交流電圧に変換され、ダイオード８１４、平滑コンデンサ８１５により所要の直流電圧に変換される。
【００４３】
電圧分圧部８３は、直列に接続された抵抗８３１、８３２と、直列に接続された抵抗８３３、８３４、及び抵抗８３３に並列に接続された抵抗８３５及びＦＥＴ８３６などを備える。
【００４４】
動作停止部８４は、コンパレータ８４１、論理ＯＲ回路８４２、トランジタ８４３などを備える。
【００４５】
電圧分圧部８３の抵抗８３１、８３２には、所定の電圧（例えば、５Ｖ）が印加され、当該所定の電圧を抵抗８３１、８３２で分圧された分圧電圧がコンパレータ８４１の反転入力（−）に接続されている。コンパレータ８４１の反転入力（−）に入力される電圧（分圧電圧）は、前述の閾値電圧Ｖｔであり、例えば、１．２５Ｖである。
【００４６】
また、ＬＥＤモジュール３（例えば、４個のＬＥＤ３１の直列回路）に供給される電圧Ｖｏｕｔを抵抗８３３、８３４で分圧された分圧電圧がコンパレータ８４１の非反転入力（＋）に接続さている。
【００４７】
取得部８７は、例えば、リモコン受光部８７１である。リモコン受光部８７１は、点灯信号、消灯信号及び調光信号を取得した場合、取得した信号を制御部８６へ出力する。
【００４８】
制御部８６は、例えば、マイクロプロセッサで構成され、リモコン受光部８７１から消灯信号を取得した場合、ＦＥＴ８３６をオンにし、点灯信号を取得した場合、ＦＥＴ８３６をオフにする。また、制御部８６は、リモコン受光部８７１から取得した調光信号に応じた信号を定電流回路８５へ出力する。
【００４９】
論理ＯＲ回路８４２の一方の入力端にはコンパレータ８４１の出力端を接続してあり、他方の入力端には定電流回路８５の出力端を接続してある。論理ＯＲ回路８４２の出力端は、トランジスタ８４３のベースに接続され、トランジスタ８４３の出力端（コレクタ）は、抵抗８９、フォトカプラ８８を介してスイッチング回路８１２に接続してある。
【００５０】
次に、図３、図４に基づいて、電源部８の動作について説明する。電圧分圧部８３は、取得部８７（リモコン受光部８７１）で点灯信号を取得した場合、ＬＥＤモジュール３に供給する電圧Ｖｏｕｔが点灯時上限値になったときに閾値電圧Ｖｔに等しい分圧電圧を動作停止部８４へ入力する。すなわち、ＬＥＤモジュール３を点灯している状態では、ＬＥＤモジュール３に供給される電圧Ｖｏｕｔが点灯時上限値に達した場合に、動作停止部８４へ入力される分圧電圧が閾値電圧Ｖｔになるので電源回路８１が停止する。また、電圧分圧部８３は、取得部８７で消灯信号を取得した場合、ＬＥＤモジュール３に供給する電圧Ｖｏｕｔが切替時上限値になったときに閾値電圧Ｖｔに等しい分圧電圧を動作停止部８４へ入力する。すなわち、ＬＥＤモジュール３を消灯している状態では、ＬＥＤモジュール３に供給される電圧Ｖｏｕｔが切替時上限値に達した場合に、動作停止部８４へ入力される分圧電圧が閾値電圧Ｖｔになるので電源回路８１が停止する。これにより、ＬＥＤモジュール３の点灯直後では、ＬＥＤモジュール３に供給する電圧Ｖｏｕｔの上限値が点灯時の場合よりも低い切替時上限値に設定されているので、点灯直後にＬＥＤモジュール３に高い電圧が供給されることを防止することができる。
【００５１】
より具体的には、図４に示すように、制御部８６は、点灯信号を取得した場合にＦＥＴ８３６をオフにすることにより、抵抗８３５を非導通とし抵抗８３３と抵抗８３４との直列回路で電圧Ｖｏｕｔを分圧することで分圧電圧を、制御部８６が消灯信号を取得した場合よりも低くし、コンパレータ８４１に入力される分圧電圧が閾値電圧Ｖｔに等しくなるときの電圧Ｖｏｕｔの上限値（点灯時上限値）を、切替時上限値よりも高くする。点灯時上限値は、例えば、１２．８Ｖである。点灯時上限値は、ＬＥＤモジュール３の各ＬＥＤ３１の順方向電圧（例えば、３Ｖ）の合計値よりも高くしてある。
【００５２】
また、制御部８６は、消灯信号を取得した場合にＦＥＴ８３６をオンにすることにより抵抗８３５が導通し、抵抗８３３と８３５との並列回路と、抵抗８３４との直列回路で電圧Ｖｏｕｔを分圧することで分圧電圧を、制御部８６が点灯信号を取得した場合よりも高くし、コンパレータ８４１に入力される分圧電圧が閾値電圧Ｖｔに等しくなるときの電圧Ｖｏｕｔの上限値（切替時上限値）を点灯時上限値より低くする。切替時上限値は、例えば、７．２Ｖである。切替時上限値は、ＬＥＤモジュール３の各ＬＥＤ３１の順方向電圧（例えば、３Ｖ）の合計値よりも低くしてある。
【００５３】
つまり、制御部８６が点灯信号を取得した場合の電圧Ｖｏｕｔを分圧する抵抗の抵抗値が、制御部８６が消灯信号を取得した場合よりも高く設定されることで、切替時上限値を点灯時上限値よりも低くすることができる。より具体的には、消灯信号又は点灯信号によってＦＥＴ８６をオン又はオフすることにより導通／非導通が切替わる切替抵抗としての抵抗８３５を抵抗８３３に並列接続して設けることで、電圧Ｖｏｕｔを分圧する抵抗値を可変している。消灯信号によって抵抗８３５が導通することにより抵抗８３５と抵抗８３３との合成抵抗値が、抵抗８３５が非導通の場合の抵抗８３３の抵抗値に比較して低下するので、電圧Ｖｏｕｔを分圧する抵抗値が低くなる。なお、消灯信号及び点灯信号によって抵抗８３５の導通／非導通を切替える素子は、ＦＥＴに限らず、バイポーラトランジスタ等の他のスイッチング素子であってもよい。これにより簡便な構成で、点灯信号又は消灯信号に応じて点灯時と切替時における電圧Ｖｏｕｔの分圧比を異ならせて、点灯時及び消灯時のＬＥＤモジュール３へ供給する電圧Ｖｏｕｔの上限値を変更することができる。
【００５４】
また、本実施の形態では切替抵抗としての抵抗８３５を、抵抗８３３に並列に接続する場合の例について説明したが、抵抗８３５を抵抗８３３に直列に接続して、抵抗８３５の導通／非導通を切替えるようにしてもよい。その場合、電圧Ｖｏｕｔの切替時上限値を点灯時上限値よりも低くするために、制御部８６が点灯信号を取得した場合に抵抗８３５を導通させてＶｏｕｔを分圧する抵抗値を高くし、消灯信号を取得した場合に抵抗８３５を非導通として短絡することでＶｏｕｔを分圧する抵抗値を低くする。これにより、点灯時及び消灯時のＬＥＤモジュール３へ供給する電圧Ｖｏｕｔの上限値を変更することができる。なお、抵抗８３５の導通／非導通の切替は、ＦＥＴ又はバイポーラトランジスタ等のスイッチング素子により行うことができる。
【００５５】
図５は比較例としての調光状態で消灯した後に再度点灯した場合のＬＥＤモジュールに流れる電流波形の一例を示すタイムチャートであり、図６は本実施の形態の電源部８による調光状態で消灯した後に再度点灯した場合のＬＥＤモジュール３に流れる電流波形の一例を示すタイムチャートである。図５、図６において、横軸は時間を示し、縦軸は電流を示す。また、ＬＥＤモジュールを消灯する前の調光レベルは、例えば、ＬＥＤモジュールに流れる電流が４０ｍＡ程度であり、全点灯（１００％）の５〜１０％程度のレベルである。
【００５６】
図５に示すように、再度点灯した直後には、定電流回路による調光機能が作動する前に、ＤＣ／ＤＣコンバータからＬＥＤモジュールに供給される電圧により過渡的に（図５の例では、例えば、３０ｍｓ程度の間）突入電流がＬＥＤモジュールに流れる。このため、ＬＥＤモジュールが点灯直後に一旦明るく点灯した後、消灯前に設定されていた調光レベルの明るさに戻る。このように、従来の照明装置では、オンにした直後、一瞬ＬＥＤが明るく点灯した後、オフする前に調光機能で設定されたレベルの明るさに戻る（暗くなる）という現象が現れる。このため、ユーザが、照明装置が故障したと勘違いするおそれ、照明装置を使用する上での違和感を覚えるおそれがあった。
【００５７】
一方、図６に示すように、本実施の形態の電源部８及び照明装置１００では、消灯状態では、ＬＥＤモジュール３に供給する電圧Ｖｏｕｔの切替時上限値を低く設定してあり、ＬＥＤモジュール３には切替時上限値を超えた電圧は供給されない。これにより、点灯直後は、電源回路８１からＬＥＤモジュール３に供給する電圧Ｖｏｕｔを低くして突入電流が流れることを抑制するとともに、定電流回路による調光機能が作動するタイミングで上限値を点灯時上限値にすることで、点灯状態においてＬＥＤモジュール３に過電圧が印加されることを防止することができる。
【００５８】
また、切替時上限値をＬＥＤモジュール３のＬＥＤ３１の順方向電圧値の合計よりも小さくしてある。これにより、光源としてＬＥＤの直列回路を用いた場合、ＬＥＤモジュール３に供給される電圧はＬＥＤの順方向電圧の合計値より低く設定されるので、点灯直後にＬＥＤモジュール３に電流が流れることはなく、調光機能で設定した明るさよりも明るい状態でＬＥＤモジュール３が点灯することを確実に抑制することができる。
【００５９】
図４に示す回路構成は一例であって、これに限定されるものではない。また、制御部８６は、リモコン受光部８７１から点灯信号を取得した場合、消灯前に設定された調光レベルで定電流回路８５が動作するのに要する時間（例えば、数十ｍｓ程度）だけ遅延させてＦＥＴ８３６をオフさせる遅延回路を設けることもできる。これにより、点灯直後は、電圧Ｖｏｕｔの上限値を切替時上限値に維持し、定電流回路８５の動作が開始された後に上限値を切替時上限値から点灯時上限値に切り替えることができ、ＬＥＤモジュール３への突入電流を確実に防止することができる。突入電流を抑えることができるので、定格電流以上の電流が一時的に流れることを防止してＬＥＤモジュール３の信頼性を向上させることもできる。また、調光機能で設定した明るさよりも明るい状態で光源が点灯することを抑制することができる照明装置を実現することができる。
【００６０】
上述のように、本実施の形態の照明装置１００、電源部８によれば、リモコン又は操作スイッチ等で調光した場合に、どのような明るさの状態で点灯させた後に消灯し、再度点灯したときに、消灯前の明るさで点灯させることができる。
【００６１】
上述の実施の形態では、電球型の照明装置について説明したが、照明装置の形状は電球型に限定されるものでなく、埋め込式照明装置（所謂ダウンライト）等他の形状の照明装置であってもよい。また、光源としてＬＥＤモジュールを備える照明装置について説明したが、光源はＬＥＤモジュールに限定されるものではなく、面発光を有する発光素子であれば、ＥＬ（Electro Luminescence）などでもよい。
【符号の説明】
【００６２】
３  ＬＥＤモジュール（光源）
３１  ＬＥＤ（光源）
８１  電源回路
８２  電圧設定部
８３  電圧分圧部
８３１、８３２、８３３、８３４、８３５  抵抗
８３６  ＦＥＴ（トランジスタ）
８４  動作停止部
８４１  コンパレータ
８５  定電流回路
８６  制御部
８７  取得部
【図１】
0005241793.tif 000002
【図２】
0005241793.tif 000003
【図３】
0005241793.tif 000004
【図４】
0005241793.tif 000005
【図５】
0005241793.tif 000006
【図６】
0005241793.tif 000007